(57)【特許請求の範囲】
【請求項１】
縦縁部及び上縁部に所定間隔をあけて複数個の帯状の乳を有し、縦縁部の乳をほぼ鉛直に立てた旗竿にはめ、上縁部の乳をほぼ水平の吊り棒にはめるようにした幟旗において、金属製のオモリ本体部とそれに一体的に固定された左右一対の金属製のフックからなる舞い上がり防止具が縦縁部の下端の乳に装着されていて、前記オモリ本体部が旗竿と乳の間に構成されるくさび状の隙間Ｓに入り、前記左右一対のフックがそれぞれ乳の両側に引っかけられ、さらに、前記フックはオモリ本体部と鋳造により一体化されたもので、中央部のオモリ本体部の左右側面を上部から下方に延びていることを特徴とする舞い上がり防止具付き幟旗。
【発明の詳細な説明】
【０００１】
【発明の属する技術分野】
本発明は縦縁部及び上縁部に所定間隔をあけて複数個の帯状の乳（ち；帯状の布で作った取付用の輪）を有し、縦縁部の乳をほぼ鉛直に立てた旗竿にはめ、上縁部の乳をほぼ水平の吊り棒にはめるようにした幟旗に関し、より詳しくは、強風にあおられた場合の幟旗の舞い上がり（ずり上がり）及び旗竿への絡み付きを防止する舞い上がり防止具を備えた幟旗に関する。
【０００２】
【従来の技術及び発明が解決しようとする課題】
上記のような幟旗は、風がないときは図４（ａ）に示すように矩形に広がった状態であるが、強風にあおられると舞い上がったり（同図（ｂ））、旗竿に絡みついたりして（同図（ｃ））、宣伝広告の用をなさなくなる。なお、旗竿に絡みつくのは幟旗が旗竿に沿って舞い上がるのが原因である。
【０００３】
これを防止する手段として、例えば特開平９−２９２８４９号公報には、縦縁部の最下端の乳にオモリを取り付けることが記載されている。しかし、同公報に具体的に開示されたオモリは、スプリングの効いたクリップで乳を挟み、そのクリップに砂袋を吊り下げるというもので、オモリ自体の製造コストが高く、また、少し強い風が吹けばブラブラ揺れて目立ち、見栄えが悪く、いたずらで盗まれる恐れもある。さらに、幟旗を収容する場合、このオモリを一緒には収容しにくいので、通常は幟旗から取り外しているが、これが面倒であり、かつ紛失しないように管理しなくてはならないという問題もある。
また、特開平１１−１３３９０１号公報には、縦縁部の最下端の乳を重量のある（例えば２０ｇの）布で形成することが記載されている。しかし、最下端の乳のみを極端に重量の異なる別の材質で構成することにより、製造コストの上昇は避けられず、見栄えの点でも劣るものとなる。
【０００４】
本発明は、このような現状に鑑みてなされたもので、低コストで、幟旗の見栄えを損なわず、装着も容易な舞い上がり防止具を装着することにより、幟旗の舞い上がりと絡みつきを防止することを目的とする。
【０００５】
【課題を解決するための手段】
本発明に係る幟旗は、縦縁部及び上縁部に所定間隔をあけて複数個の帯状の乳を有し、縦縁部の乳をほぼ鉛直に立てた旗竿にはめ、上縁部の乳をほぼ水平の吊り棒にはめるようにしたもので、金属製のオモリ本体部とそれに一体的に固定された左右一対の金属製のフックからなる舞い上がり防止具が縦縁部の下端の乳に装着されていて、前記オモリ本体部が旗竿と乳の間に構成されるくさび状の隙間Ｓに入り、前記左右一対のフックがそれぞれ乳の両側に引っかけられている。前記舞い上がり防止具のフックはオモリ本体部と鋳造により一体化されたもので、中央部のオモリ本体部の左右側面を上部から下方に延びている。この幟旗において、舞い上がり防止具は、構造が簡単であるため低コストで製造でき、装着が容易であり、さらに装着後のオモリ本体部は乳の内側にあって余り目立たない。
【０００６】
オモリ本体部は例えば比重が大きく安価で製造しやすい鉛で形成すればよく、フックは金属ワイヤ又は金属板で形成することができる。フックが金属製であるので、フックを金属製のオモリ本体部と鋳造により一体化することができる。また、フックを中央部のオモリ本体部の左右側面を上部から下方に延びるように配置し一体化しているので、オモリ本体部を乳の幅と同程度又はそれ以上の長さに形成し、かつフックをオモリ本体部に沿って長く形成すれば、幅のある帯状の乳に安定した状態で引っかけることができる。さらに、例えばオモリ本体部とフックの間隔を狭くし、又はフックをオモリ本体部に向け弾発させた場合、オモリ本体部と各フックの間で帯状の乳が挟持され、外れにくくなる。
【０００７】
【発明の実施の形態】
以下、図１〜３を参照して、本発明に係る舞い上がり防止具付き幟旗の具体例を説明する。
図１に示す舞い上がり防止具１は、下方部をしだいに小径とした略円柱状のオモリ本体部２と、その左右側面を上部から下方に延びている左右一対のフック３、４からなる。オモリ本体部２の長さは乳６（図２参照）の幅より長く、フック３、４の長さは乳６の幅と同程度に形成されている。オモリ本体部２は鉛の鋳造物であり、フック３、４は鋼製のワイヤからなり、オモリ本体部２と鋳造により一体化された（オモリ本体部２の鋳造時に一体化された）ものである。フック３、４の下端には、カール部３ａ、４ａが形成されている。
【０００８】
使用時は、図２に示すように、オモリ本体部２を幟旗５の下端の乳６の内側に入れ、左右のフック３、４をそれぞれ両側の乳６に引っかけて装着する。なお、７は旗竿、８は幟旗５と乳６の縫い付け部である。このとき、フック３、４の下端にカール部３ａ、４ａが形成され、かつフック３、４の下端とオモリ本体部２の側面の間の隙間が相対的に大きくなっているため、乳６にスムースにかつ簡単に装着できる。また、オモリ本体部２とフック３、４の間隔が狭いため、オモリ本体部２と各フック３、４の間で帯状の乳６が弾性的に挟み付けられるようになり外れにくい。装着された舞い上がり防止具は帯状の乳６の間に挟まれたような形になるため、特に目立つこともなく幟旗の見栄えを損なわず、幟旗の舞上がりを防止することができる。
【０００９】
図３は、舞い上がり防止具１と同タイプのもので、オモリ本体部１１の平面視形状を旗竿７と乳５の間に構成されるクサビ状の隙間Ｓ（図２参照）に倣った形状にした舞い上がり防止具１０である。この舞い上がり防止具１０では各フック１２、１３をワイヤでなく金属製の薄板（鋼板等）で形成している。この舞い上がり防止具１０はクサビ状の隙間Ｓに倣った形状をしているため、乳６の内側に装着したとき舞い上がり防止具１より安定がよく、強風が吹いても揺れにくい。さらに、幅のあるフック１２、１３により安定度が増している。
【００１０】
【発明の効果】
本発明によれば、舞い上がりと絡みつきを防止できる舞い上がり防止具付き幟旗を提供できる。本発明に係る舞い上がり防止具は、低コストで、幟旗の見栄えを損なわず、装着も容易である。
【図面の簡単な説明】
【図１】本発明に係る幟旗の舞い上がり防止具の正面図（ａ）、側面図（ｂ）及び平面図（ｃ）である。
【図２】その装着状態を示す正面図（ａ）及びそのＩ−Ｉ断面図（ｂ）である。
【図３】他の舞い上がり防止具の正面図（ａ）、側面図（ｂ）及び平面図（ｃ）である。
【図４】幟旗の無風時の状態（ａ）、強風時の状態（ｂ）及び絡みついたときの状態（ｃ）を説明する図である。
【符号の説明】
１、１０  舞い上がり防止具
２、１１  オモリ本体部
３、４、１２、１３  フック
５  幟旗
６  乳
７  旗竿
８  縫い付け部
【図１】
0003619862.tif 000002
【図２】
0003619862.tif 000003
【図３】
0003619862.tif 000004
【図４】
0003619862.tif 000005